(57)【特許請求の範囲】
【請求項１】
襟とボタンを有する衣服の胸元に衣服用アクセサリーを係留固着させるための衣服用アクセサリーけん引係留固着装置であって、
前記衣服の襟側に配置され、前記アクセサリーを前記衣服の襟側にけん引するための支点を確保するけん引支点確保用部材と、
前記アクセサリーにまたは該アクセサリーに設けられた被けん引用フックを介して該アクセサリーに固着され、ワイヤー状部材で前記アクセサリーを前記けん引支点確保用部材側にけん引するけん引部材と、
前記アクセサリーにまたは前記けん引部材を介して該アクセサリーに固着され、その形状が断面略コ字状であって該コ字状の対向する辺の一方であって前記固着される側の辺とは逆の辺において長さ方向に切込が設けられ、該切込に前記ボタンの糸足部を挿通して挟み込むことにより該ボタンを係留する衣服用ボタン係留部材と、からなり、
前記襟側で支点が確保されたけん引支点確保用部材に前記けん引部材の前記ワイヤー状部材を接続し、前記衣服用ボタン係留部材の前記切込に前記ボタンの糸足部を挿通して挟み込むことにより、前記アクセサリーを前記襟側にけん引しつつ前記衣服の胸元に係留固着することを特徴とする衣服用アクセサリーけん引係留固着装置。
【発明の詳細な説明】
【技術分野】
【０００１】
本発明は、胸元へ飾る装飾品をけん引装着するさいに用いるこれまでのけん引装着装置に対して、新たに衣服用ボタン係留部材を付加することにより、装飾品の固定維持を可能とするリールに関するものである。
【背景技術】
【０００２】
２１世紀に入り、男性がエステに通ったり化粧をすることがそれほど珍しくない風潮となって来ており、そのような時代背景のもとで、特願2010-116798にあるような新規性とデザイン性に富んだ新しいネクタイの誕生があり、多くのオシャレな男性にうけているが、これまである装着方法では、人体の通常の動きによりネクタイが曲がってしまう欠点があり、踊る走るなどの人体の激しい動きにも耐えられる新方式の装着方法の誕生が希求されていた。
【先行技術文献】
【特許文献】
【０００３】
【特許文献１】特願2010-116798
【発明の概要】
【発明が解決しようとする課題】
【０００４】
前記特願2010-116798にあるような新しいネクタイの装着方法は、これまでにないリールによるけん引装着を採用しており、その方式を用いれば、他の胸元装飾品の装着も可能である。しかし、実際にはマネキンへの展示装着と違い、活動する人体であるがゆえにネクタイや装飾品が左右前後に位置ズレをおこしてしまう。本発明は、活動する人体へのけん引装着時において、衣服用アクセサリーが左右前後へ位置ズレすることを防止するためのものである。
【課題を解決するための手段】
【０００５】
本発明は、上記の課題を解決するため、襟とボタンを有する衣服の胸元に衣服用アクセサリーを係留固着させるための衣服用アクセサリーけん引係留固着装置であって、前記衣服の襟側に配置され、前記アクセサリーを前記衣服の襟側にけん引するための支点を確保するけん引支点確保用部材と、前記アクセサリーにまたは該アクセサリーに設けられた被けん引用フックを介して該アクセサリーに固着され、ワイヤー状部材で前記アクセサリーを前記けん引支点確保用部材側にけん引するけん引部材と、前記アクセサリーにまたは前記けん引部材を介して該アクセサリーに固着され、その形状が断面略コ字状であって該コ字状の対向する辺の一方であって前記固着される側の辺とは逆の辺において長さ方向に切込が設けられ、該切込に前記ボタンの糸足部を挿通して挟み込むことにより該ボタンを係留する衣服用ボタン係留部材と、からなり、前記襟側で支点が確保されたけん引支点確保用部材に前記けん引部材の前記ワイヤー状部材を接続し、前記衣服用ボタン係留部材の前記切込に前記ボタンの糸足部を挿通して挟み込むことにより、前記アクセサリーを前記襟側にけん引しつつ前記衣服の胸元に係留固着することを特徴とする衣服用アクセサリーけん引係留固着装置を提供するものである。
【発明の効果】
【０００６】
前記課題を解決するための手段を実施することにより、衣服用アクセサリーけん引係留固着装置と衣服用アクセサリーは連結された状態になり、かつ衣服用アクセサリーは第２ボタンが縫い付けられている位置から左右前後に位置ズレをおこすことはない。そのため人が走ったり踊ったりという激しい動きをしても、衣服用アクセサリーが人体胸元で位置ズレをおこすことが無くなった。
【図面の簡単な説明】
【０００７】
【図１】（a）は一般的なリールの表面であり（b）は一般的なリールの裏面（c）は前記特許文献にある衣服用アクセサリーけん引装着装置であり、（d）（e）は（c）と同じ機能を有する衣服用アクセサリーけん引装着装置であるが、それぞれ（d）はコイルバネ、（e）はゴムなどの弾性体によるものである。
【図２】けん引支点確保用部材の一連であり、（a）（b）（c）（d）（e）（f）はボタンにかけて作用させる部材であり、（g）はシャツの襟元及びネックレス等の首に廻した紐状材にかけて作用させる部材であり、（h）はネックレスのように首に回しかけて作用させるそれぞれけん引支点確保用部材である。
【図３】（a）は前記特許文献にある衣服用アクセサリーに、衣服用アクセサリーけん引装着装置を連結させた図であり、（b）は前記にある衣服用アクセサリーを人体胸元にけん引装着する図であり、（c）は理解を深めるために前記特許文献にある衣服用アクセサリーをあえて描かずに、前立にあるけん引部材が左右前後に可動してしまうことを表した図である。
【図４】（a）は前記特許文献にある衣服用アクセサリーが、人体の左右の動きに影響を受けてしまうことを表した図であり、（b）は人体の左右の動きに影響を受けた前記特許文献にある衣服用アクセサリーが傾いたまま戻らない不良な装着例を示している図であり、（c）は人体の前屈みの動きにより前記特許文献にある衣服用アクセサリーが前方へせり出してしまう不良な装着例を示している図であり、（d）は人体の左右の動きに影響を受けた首から吊り下げた前記特許文献にある衣服用アクセサリーが傾いたまま戻らない不良な装着例を示している図であり、（e）は人体の前屈みの動きにより首から吊り下げた前記特許文献にある衣服用アクセサリーが前方へせり出してしまう不良な装着例を示している図である。
【図５】（a）は布に縫い付けてあるボタンを表し、（b）（c）はボタンと衣服用ボタン係留部材との相関関係を表している斜視図であり、（d）（e）はボタンと衣服用ボタン係留部材との相関関係を表している側面図である。
【図６】（a）はNO.１衣服用アクセサリーけん引係留固着装置の部材構成図、（ｂ）は前記特許文献にある衣服用アクセサリーにNO.１衣服用アクセサリーけん引係留固着装置の一部を固着させた状態を表しており、（c）はNO.１衣服用アクセサリーけん引係留固着装置にある衣服用ボタン係留部材にけん引用フックを付加し、前記特許文献にある衣服用アクセサリーに被けん引用フックを付加し、NO.１衣服用アクセサリーけん引係留固着装置と前記特許文献にある衣服用アクセサリーを分離させた状態を示した図である。
【図７】（a）はNO.１衣服用アクセサリーけん引係留固着装置を用いた前記特許文献にある衣服用アクセサリーの装着例の側面図であり（ｂ）は要点を明確化させるために衣服用アクセサリーを省き、衣服用ボタン係留部材にある切込部先端がシャツの第２ボタンをキャッチしていることを示した図である。
【図８】（a）はNO.２衣服用アクセサリーけん引係留固着装置の部材構成図、（ｂ）はNO.２衣服用アクセサリーけん引係留固着装置にある衣服用ボタン係留部材にけん引用フックを付加し、前記特許文献にある衣服用アクセサリーに被けん引用フックを付加し、NO.２衣服用アクセサリーけん引係留固着装置と前記特許文献にある衣服用アクセサリーを分離させた状態での使用例を示した図であり、（c）はNO.２衣服用アクセサリーけん引係留固着装置の衣服用ボタン係留部材があるべき個所にけん引用フックを取り付け、前記特許文献にある衣服用アクセサリーに衣服用ボタン係留部材と被けん引用フックを固着させてNO.２衣服用アクセサリーけん引係留固着装置と前記特許文献にある衣服用アクセサリーを分離させた状態での使用例を示した図である。
【図９】（a）はクールビズ対策用ワイシャツ（b）は一般的ワイシャツのそれぞれ襟元開襟状態を示しており、（c）はNO.３衣服用アクセサリーけん引係留固着装置の部材構成を示した図であり、（d）は前記特許文献にある衣服用アクセサリーにNO.３衣服用アクセサリーけん引係留固着装置部材を固着させた状態を表しており、（e）はNO.４衣服用アクセサリーけん引係留固着装置の部材構成を示した図である。
【図１０】（a）（ｂ）（ｃ）は、NO.３衣服用アクセサリーけん引係留固着装置を用いて前記特許文献にある衣服用アクセサリーを装着する一連の図であり、（d）はNO.４衣服用アクセサリーけん引係留固着装置を用いた前記特許文献にある衣服用アクセサリーを装着する際のスタート時を示した図である。
【図１１】（a）は襟元が閉襟状態にある衣服において、人体上半身が左右に傾いても衣服用アクセサリーが定位置に係留固着していることを、（ｂ）は同じく人体が前屈みになっても衣服用アクセサリーが前方へせり出さず、係留固着していることを表しているそれぞれの図であり、（c）は襟元が開襟状態にある衣服において、人体上半身が左右に傾いても衣服用アクセサリーが定位置に係留固着していることを、（d）は同じく人体が前屈みになっても衣服用アクセサリーが前方へせり出さず、係留固着していることを表しているそれぞれの図である。
【発明を実施するための形態】
【０００８】
図１（a）（b）は一般的なリールであり、その用途は主にダブルリング3を利用したキーホルダーやリール１を利用したウォレットチェーンの代用として用いられている。本来のキーホルダーやウォレットチェーンと異なる部分は、図１（b）にあるようにリールの裏面に紛失防止のため衣服に固着させるクリップ２やその他安全ピンなどが付加されている点である。
【０００９】
図１（a）（b）にある一般的なリールを衣服用アクセサリーのけん引装着用装置として発展的に応用考案されたのが、図１（c）にある衣服用アクセサリーけん引装着装置２３であり、この装置の特色は、一般的なリールにあるダブルリング３の代わりに図２（a）（b）（c）（d）（e）（f）（g）（h）にあるようなけん引支点確保用部材７を用い、通常標準となっている裏面のクリップ２やその他安全ピンなどを設けずにけん引用フック５を付加している点である。この衣服用アクセサリーけん引装着装置２３を使用するには、けん引装着する対象となる衣服用アクセサリーに、けん引用フック５と連結させるための被けん引用フック８が付加されていることが必然である。
【００１０】
衣服用アクセサリーけん引装着装置２３に用いるけん引部材４は、必ずしもリールである必要はなく、図１（d）（e）にあるようにけん引力をコイルバネやゴムなどの弾性体に置き換えても衣服用アクセサリーをけん引する作用は同じである。また、本出願において、コイルバネやゴムなどの弾性体はそのものをけん引部材と称するが、リールの場合にはワイヤー６などの紐材は必要不可欠な付属品なので、けん引部材がリールの場合にはあえて紐材が組み合わされていることを明記しないこととする。
【００１１】
また、衣服用アクセサリーけん引装着装置２３とは、けん引部材４、けん引用フック５、けん引支点確保用部材７、被けん引用フック８の部材により成り立つ複合体を総称している名称であり、図１（c）にある衣服用アクセサリーけん引装着装置２３の組合せパターンに限ったものではない。更に、本出願におけるワイヤー６とは、紐材類を総称している。
【００１２】
また、けん引支点確保用部材７は、けん引部材が衣服用アクセサリーをけん引する際の支点を得るための部材であり、その用途を同じく確保出来る部材として、図２（a）（b）（c）（d）（e）（f）（g）（h）があるが、本出願の作図においては、図２（a）（g）（h）の３方式を代表例としてけん引支点確保用部材７として描くこととする。
【００１３】
更に、特願2010-116798の中で発表された衣服用アクセサリーを本出願の作図に用いた場合には、前記特許文献にある衣服用アクセサリー９と称して説明するが、この呼称は衣服用アクセサリーと同義とする。
【００１４】
衣服用アクセサリーけん引装着装置２３は、図３（a）にあるようにけん引用フック５と被けん引用フック８との連結部を作用点とし、図３（b）（c）にあるようにけん引支点確保用部材７をワイシャツの第１ボタン１０にはめ込み、そこをけん引力の支点として、衣服用アクセサリーを胸元にけん引装着させる装置である。
【００１５】
図３(b)は前記特許文献にある衣服用アクセサリー9を人体にけん引装着する際の図で、衣服用アクセサリーがワイシャツの襟元へとけん引されることを示すものであり、衣服用アクセサリーの上端が襟元に係止された時点で、ワイヤー６はけん引部材４に巻き込まれなくなるが、その後けん引部材４は、一定の巻き取りけん引力をもって前記特許文献にある衣服用アクセサリー９のけん引装着状態を保ち続ける。
【００１６】
前記特許文献にある衣服用アクセサリー９の上端が襟元に係止された後、前立１２上にあるけん引部材４の上方（襟元側）や下方（下腹側）への動きは止まるが、けん引部材４と前立１２との関係において、相互に固着する何等の装置や機能を有していないがために、けん引部材４は人体の動きにより左右前後に可動してしまう。図３（c）はそのことを表している図であり、けん引部材４と連結状態にある衣服用アクセサリーは同じく左右前後に可動してしまう。
【００１７】
衣服用アクセサリーけん引装着装置２３と連結している前記特許文献にある衣服用アクセサリー９が実際的にどのように左右前後に可動してしまうかを表している一連が図４であり、図４（a）のように人体上半身を左右に動かすことにより、前記特許文献にある衣服用アクセサリー９も同時に左右に動いてしまう。このような場合、襟元への間断ない巻き取りけん引力が維持されているがために、一度位置ズレを起こしてしまうと、人が外的力を加えなければ正常な位置に自然に戻ることはなく、図４（b）のように曲がった前記特許文献にある衣服用アクセサリー９はそのままの位置を保持してしまう悪い結果となる。図４（c）は人体上半身を前屈みにした場合に、前記特許文献にある衣服用アクセサリー９が前方へせり出してしまうことを表した図であるが、この場合、人体上半身を起こすことにより前記特許文献にある衣服用アクセサリー９は引力により元の状態に戻るが、衣服用アクセサリーのこのような動きは見た目が良くない。
【００１８】
また、図４（d）（e）にあるように襟元が開襟状態での前記特許文献にある衣服用アクセサリー９の胸元装着はネックレスなどの紐材を首にかけて吊るすのが一般的な方法であるが、この場合も人体上半身の動きにより衣服用アクセサリーは可動してしまう。図４（b）（c）のように衣服用アクセサリーけん引装着装置２３を用いない場合との相違点は、衣服用アクセサリーの自重によるけん引力は働いているものの、けん引部材４による襟元への間断ない巻き取りけん引力が維持されていないため、人体の些細な動きに敏感に可動してしまうことである。
【００１９】
本出願はこれらの欠点を払拭するため、衣服用アクセサリーけん引装着装置２３に対して、新たに衣服用ボタン係留部材１３を複合的に加えることにより、衣服用アクセサリー装着位置の固定性を得ることを目的としたけん引係留固着方式を提案するものであり、襟元閉襟状態で使用するけん引係留固着方式として図６（a）にあるNO.１衣服用アクセサリーけん引係留固着装置１４と図８（a）にあるNO.２衣服用アクセサリーけん引係留固着装置２１を提案し、襟元開襟状態で使用するけん引係留固着方式として図９（c）にあるNO.３衣服用アクセサリーけん引係留固着装置２２と図９（e）にあるNO.４衣服用アクセサリーけん引係留固着装置２４を提案するものである。これらけん引係留固着装置とは、衣服用アクセサリーけん引装着装置同様に、各部材により成り立つ複合体を総称している名称である。
【００２０】
図５は、本出願提案のNO.１、NO.２、NO.３、NO.４衣服用アクセサリーけん引係留固着装置で使用する衣服用ボタン係留部材１３の機能と仕組みを表した一連であり、衣服用ボタンには、図５（a）に示されているように、ボタン１５と布１７との間にボタンを縫い合わせた糸足部１６が存在し、図５（b）に示されているように衣服用ボタン係留部材１３には、糸足部１６を挟み込む一対の切込と、ボタン１５と布１７との間にある隙間に挿入し糸足部１６を切込に誘導するのに適した形状となっている切込部先端２０が備わっている。
【００２１】
更に、衣服用ボタンと衣服用ボタン係留部材１３との相関関係を示したのが図５（c）（d）（e）であり、図５（c）（d）のように衣服用ボタン係留部材１３がボタン側にスライドすることにより、図５（e）にあるようにやがて衣服用ボタン係留部材１３は、糸足部１６を切込で挟み込むこととなり、同時にそれはボタン１５を抱え込むことであり、可動性のあった衣服用ボタン係留部材１３は衣服に縫い付けられているボタン１５に係留され、且つ両者は相互に放れることのない固着された状態となる。本出願においてこの現象を係留固着状態と定義する。
【００２２】
本出願は、けん引支点確保用部材７にはめ込まれ、けん引力の支点となるボタンを第１ボタン１０、衣服用ボタン係留部材１３と係留固着の関係を成すボタンを第２ボタン１１としている。
【００２３】
また、確実的な係留固着を確保維持できる状態とは、図５（e）に示されているように、第２ボタン１１が衣服用ボタン係留部材１３にある切込部のほぼ中央に留まっている状態であり、本出願において複合関係を成す各部材は、第２ボタン１１と衣服用ボタン係留部材１３とが、そのような状態となるよう取付位置や寸法が設定されることを前提としている。
【００２４】
第２ボタン１１と衣服用ボタン係留部材１３とが係留固着する状態となるためには、切込幅１８は対象となるボタンの糸足部の幅よりも広く、且つボタンの直径よりも狭くなければならず、ボタン格納部高１９は対象となるボタンの厚みよりも高く設定されていなければならない。
【００２５】
本出願が提案する衣服用アクセサリーけん引係留固着装置は、シャツの襟が閉襟状態と開襟状態とで複合部材に違いがあり、閉襟状態で使用する衣服用アクセサリーけん引係留固着装置は、けん引部材４とけん引支点確保用部材７と衣服用ボタン係留部材１３の３部材で構成されており、図６（a）のNO.１衣服用アクセサリーけん引係留固着装置１４と図８（a）のNO.２衣服用アクセサリーけん引係留固着装置２１とがそれである。一方開襟状態で使用する衣服用アクセサリーけん引係留固着装置は、NO.１及びNO.２衣服用アクセサリーけん引係留固着装置の場合同様に、けん引部材４とけん引支点確保用部材７と衣服用ボタン係留部材１３の３部材で構成されているが、けん引部材４にボタンスイッチが設けられているのが相違点であり、図９（c）のNO.３衣服用アクセサリーけん引係留固着装置２２と図９（e）のNO.４衣服用アクセサリーけん引係留固着装置２４がそれである。
【００２６】
更に、シャツの襟が閉襟時に使用するNO.１衣服用アクセサリーけん引係留固着装置１４とNO.２衣服用アクセサリーけん引係留固着装置２１との違いは、NO.１衣服用アクセサリーけん引係留固着装置の場合はけん引部材４と衣服用ボタン係留部材１３とが合体されており、NO.２衣服用アクセサリーけん引係留固着装置２１はけん引部材４とけん引支点確保用部材７とが合体されている点である。
【００２７】
ここまで、NO.１〜NO.４衣服用アクセサリーけん引係留固着装置に使用されている複合部材には３つの共通部材が使用されており、NO.３衣服用アクセサリーけん引係留固着装置２２とNO.４衣服用アクセサリーけん引係留固着装置２４がけん引部材４にボタンスイッチが設けられている点を述べて来たが、衣服用ボタン係留部材１３が糸足部１６を切込で挟み込むことが、ボタン１５を抱え込むことと同義であり、しいては可動性のあった衣服用ボタン係留部材１３と衣服に縫い付けられているボタン１５との間に係留固着の関係が誕生するという機能上の原理はNO.１、NO.２、NO.３、NO.４共に同一である。
【００２８】
次に実際例を用いてけん引係留固着装置それぞれの発展形を説明する。NO.１衣服用アクセサリーけん引係留固着装置１４の基本的な構成は図６（b）であり、衣服用ボタン係留部材１３と合体状態にあるけん引部材４は前記特許文献にある衣服用アクセサリー９に固着されているが、装着時の操作性を重視すると、図６（c）にあるように衣服用ボタン係留部材１３にけん引用フック５を付加し、衣服用アクセサリー側に被けん引用フック８を付加し、相互が連結できる発展的な仕組みにした方が良い。
【００２９】
図７（a）はNO.１衣服用アクセサリーけん引係留固着装置１４の発展的応用例である図６（c）による人体装着具体例の操作手順であり、予めけん引支点確保用部材７をシャツの第１ボタンにかけておき、次にけん引用フック５と被けん引用フック８とを連結させた後、矢印（1）、矢印（2）の動作で前記特許文献にある衣服用アクセサリー９を上方へと向かわせ、衣服用ボタン係留部材１３にある切込部先端２０が前立て１２に沿って襟元（上方）へと進むことを表している。これらの操作手順は、図８（b）（c）にあるNO.２衣服用アクセサリーけん引係留固着装置２１の発展的応用例図の場合も同じである。
【００３０】
図７（b）は、理解度を深めるために前記特許文献にある衣服用アクセサリー９と被けん引用フック８が描かれておらず、前立て１２に沿って上方へと進んだ衣服用ボタン係留部材１３にある切込部先端２０がやがて第２ボタン１１を切込部に挟み込むことを表していて、本出願にある総ての衣服用アクセサリーけん引係留固着装置にある衣服用ボタン係留部材１３と第２ボタンとの相関関係はこれと同じであり、二者は係留固着の状態となる。
【００３１】
図８（a）は、NO.２衣服用アクセサリーけん引係留固着装置２１の複合部材の基本的な構成図であるが、NO.１衣服用アクセサリーけん引係留固着装置１４の場合と同様に、装着時の操作性を重視すると、図８（b）及び（c）にあるように、けん引用フック５と被けん引用フック８を付加し、相互が連結できる発展的な仕組みにした方が良い。
【００３２】
図９（a）は地球温暖化に対処する手段のひとつとして誕生したクールビズ対応シャツであり、図９（b）は一般的なワイシャツであり、共に夏の暑さを軽減するために襟元のボタンを外している開襟状態を示したものである。これらに衣服用アクセサリーを装着する場合、襟元にあるボタンにけん引支点確保用部材７をかけてけん引力の支点を得ることは出来ず、図２（a）（b）（c）（d）（e）（f）にあるけん引支点確保用部材は使用出来ない為、けん引支点確保用部材そのものを首に廻してけん引支点を確保する図２（h）を使用した図９（c）にあるNO.３衣服用アクセサリーけん引係留固着装置２２や、首周りにかけたネックレス或いはネックレス状の輪に対してけん引支点確保用部材を引っ掛けてけん引支点を確保する図２（g）の２例目を使用した図９（e）のようなNO.４衣服用アクセサリーけん引係留固着装置２４を用いる。どちらもボタンスイッチ付きのけん引部材４を用いているのが特徴であり、部材構成がけん引部材４とけん引支点確保用部材７と衣服用ボタン係留部材１３で成り立っている点は、NO.１衣服用アクセサリーけん引係留固着装置１４やNO.２衣服用アクセサリーけん引係留固着装置２１と同じである。
【００３３】
また、図の特徴からボタンスイッチと謳っているが、同じ機能を有するのであるならば、スライドスイッチなどの他のデザインや方式でも可能であり、また、スイッチを入れる動作が押すと限ったものではなくスライドさせる形式でも良く、更にスイッチを設ける位置が限定されるものではない。
【００３４】
NO.３衣服用アクセサリーけん引係留固着装置２２に使用する図２（h）のけん引支点確保用部材７は、首周りに、輪状となったワイヤーを廻しかけすることによりけん引時の支点を確保するものである為、必然的にワイヤー６の先端は、けん引部材本体に予め固着されている或いは固着できる構造を有しているのが必然である。
【００３５】
NO.４衣服用アクセサリーけん引係留固着装置２４に使用する図２（g）のけん引支点確保用部材７は、首周りにかけたネックレス或いはネックレス状の輪に対して部材を引っ掛けることによりけん引時の支点を確保するものである。
【００３６】
NO.３とNO.４の衣服用アクセサリーけん引係留固着装置２２と２４において、けん引部材４に対して設けたボタンスイッチの働きは、１番目の方式として、ボタンスイッチ２５を押した状態(スイッチを入れる)で通常のリールのように常にワイヤー６をリールに巻き取るけん引力を有し、且つ人の指先程度の力で容易に引き出すことも可能であり、ボタンスイッチ２５から指を離す（スイッチを切る）とロックがかかり、ワイヤー６は巻き取られもせず且つ引き出すことも出来ない状態となる。また、２番目の方式として、けん引部材内部にラチェット機構を追加することにより、ボタンスイッチ２５の解放状態（スイッチを入れない）でワイヤー６は人の指先程度の力で容易に引き出すことが可能であり、且つ引き出されたワイヤー６はラチェット機構により引き出された状態からリールに巻き取られることはなく、ボタンスイッチ２５を押す（スイッチを入れる）ことによりラチェットが解放されワイヤー６はけん引部材４に巻き取られる。これら１番目と２番目の方式にあるボタンスイッチの特性は、ワイヤーを任意の長さで固定出来る点であり、この特性が襟元開襟状態での衣服用アクセサリーの胸元装着を可能とする。
【００３７】
図１０（a）（b）（c）は、NO.３衣服用アクセサリーけん引係留固着装置２２による前記特許文献にある衣服用アクセサリー９を用いた人体装着手順を描いたものであり、まず最初に図１０（a）にあるように、ワイヤーを任意の長さで固定できるボタンスイッチ付きけん引部材の特性を活かし、前記特許文献にある衣服用アクセサリー９を予め首から吊り下げておき、次に図１０（b）にある矢印のように前記特許文献にある衣服用アクセサリー９を胸元へ寄せ、次に図１０（c）の矢印（1）の動作で前記特許文献にある衣服用アクセサリー９を前立て１２に沿って上方へとスライドさせ衣服用ボタン係留部材１３の切込中央部分に第２ボタン１１が来た時、矢印（2）の動作でボタンスイッチ２５を押し、ワイヤーを任意の長さで固定できるボタンスイッチ付きけん引部材の特性を活かし、前記特許文献にある衣服用アクセサリー９が上方へスライドしたことにより生じたけん引支点確保用部材７（h）のたるみをけん引部材４に巻き取り装着は完了である。
【００３８】
図１０（ｄ）は、NO.４衣服用アクセサリーけん引係留固着装置２４における前記特許文献にある衣服用アクセサリー９を用いた人体装着手順を描いた初動作の部分であり、これ以後の装着手順とその効果は、NO.３衣服用アクセサリーけん引係留固着装置２２と同様である。
【００３９】
図１１（a）（b）はNO.１衣服用アクセサリーけん引係留固着装置１４及びNO.２衣服用アクセサリーけん引係留固着装置２１を用いた場合の前記特許文献にある衣服用アクセサリー９の人体装着例図であり、図１１（a）は正面図で人体上半身の左右の傾き、図１１（b）は側面図であり人体上半身の前後の傾きを表しており、図１１（c）（d）はNO.３衣服用アクセサリーけん引係留固着装置２２を用いた場合の前記特許文献にある衣服用アクセサリー９の人体装着例図であり、図１１（c）は正面図で人体上半身の左右の傾き、図１１（d）は側面図であり人体上半身の前後の傾きを表しており、これら図１１（a）（b）（c）（d）は、衣服用ボタン係留部材１３と第２ボタン１１とが係留固着状態にあるため、前記特許文献にある衣服用アクセサリー９が人体上半身の左右前後の傾きにより位置ズレを起こすことのないことを表している。更に、実際使用において、小走りする、踊るなどの全身運動時においても、衣服用アクセサリーが前立１２から離れたり位置ズレを起こすことはない。
【００４０】
NO.１、NO.２、NO.３、NO.４衣服用アクセサリーけん引係留固着装置それぞれを構成する複合部材は、その本来目的を満足させる機能構造を備えているならば、本出願に使用した図にあるデザインに限定するものではない。
【産業上の利用可能性】
【００４１】
地球温暖化にともない全世界レベルでクールビズ運動が叫ばれ、襟元を開放するデザインのシャツが続々誕生し普及しているが、それは同時に襟元が開襟であるが故にネクタイを装着できない欠点を有している。これらアンタイド（ノーネクタイ）な服装はビジネスの場面では不適切とされる風潮が根強く残っており、これまで数百年続いていた一般的なネクタイに代わり、襟元が開襟状態でも対応できる新しい胸元装飾品の誕生が希求されていた。
一方、２１世紀に入り女性が社会に進出することが一般的となり、男性と対等な立場で業務に従事している女性の割合が年々増加している傾向にあるが、これまでのブローチやネックレスやコサージュなどの女性用胸元装飾品は、ビジネスマナーを象徴する男性のネクタイとは違いビジネスの場に不適切な印象を与えるものであり、ビジネスの場にふさわしい男性用ネクタイに匹敵する女性用胸元装飾品の誕生が希求されていた。
これらの社会現象に応えるべく、ノーブルタイという新しいコンセプトを掲げるネクタイのジャンルが誕生し社会の脚光を浴びつつある。このノーブルタイが注目されるもう一つの理由は、従来からある安全ピンやラペルピンやタイタックピンを用いて布に針（ピン）を貫通させる方式や、一般的ネクタイのように布を首に廻す方式とは異なったリールによるけん引装着方式を採用している点である。ところが、注目されているこのリールによるけん引装着方式には二つの弱点があり、一つ目は衣服への固定性が乏しく人体上半身の左右前後の揺れによりノーブルタイが位置ズレを起こしてしまう点であり、二つ目は襟元開襟状態での衣服には装着出来ない点であった。今回提案の衣服用アクセサリーけん引係留固着方式は、リールを用いながらそれら二つの弱点を一掃させたものであり、ノーブルタイ以外の胸元装飾品の装着にも幅広く応用できる。
これらの特性は新興国から超廉価のネクタイがなだれ込み大打撃のもと瀕死の状態が続いている日本のネクタイ業界及び長引く不況により同じような状況に陥っている宝飾業界にとって大きな光明となる。というのは、今後世界各国に向けて、知的財産に守られたけん引係留固着方式によるメイド・イン・ジャパン製のノーブルタイや胸元装飾品の輸出がおおいに期待できるからである。
【符号の説明】
【００４２】
１      一般的リール
２      クリップ
３      ダブルリング
４      けん引部材
５      けん引用フック
６      ワイヤー
７      けん引支点確保用部材
８      被けん引用フック
９      前記特許文献にある衣服用アクセサリー
１０    第１ボタン
１１    第２ボタン
１２    前立
１３    衣服用ボタン係留部材
１４    NO.１衣服用アクセサリーけん引係留固着装置
１５    ボタン
１６    糸足部
１７    布
１８    切込幅
１９    ボタン格納部高
２０    切込部先端
２１    NO.２衣服用アクセサリーけん引係留固着装置
２２    NO.３衣服用アクセサリーけん引係留固着装置
２３    衣服用アクセサリーけん引装着装置
２４    NO.４衣服用アクセサリーけん引係留固着装置
２５    ボタンスイッチ
【図１】
0005411187.tif 000002
【図２】
0005411187.tif 000003
【図３】
0005411187.tif 000004
【図４】
0005411187.tif 000005
【図５】
0005411187.tif 000006
【図６】
0005411187.tif 000007
【図７】
0005411187.tif 000008
【図８】
0005411187.tif 000009
【図９】
0005411187.tif 000010
【図１０】
0005411187.tif 000011
【図１１】
0005411187.tif 000012